(57)【要約】      （修正有）【課題】ユーザが自ら撮影に関わった画像を選び出させることができる表示装置を提供する。【解決手段】表示装置は、撮影装置の使用者を特定する第１データと、撮影装置に近接する装置の使用者を特定する第２データとのうち少なくとも一方と各々関連付けられた画像群の中から、表示装置の使用者を特定する第３データと、表示装置に近接する装置の使用者を特定する第４データとのうち少なくともいずれかに基づいて画像を抽出する抽出部と、抽出された画像を表示する表示部とを有する。【選択図】図６
2015060478.tif 000002
【特許請求の範囲】
【請求項１】
撮影装置の使用者を特定する第１データと前記撮影装置に近接する装置の使用者を特定する第２データとのうち少なくとも一方と各々関連付けられた画像群の中から、本表示装置の使用者を特定する第３データと前記本表示装置に近接する装置の使用者を特定する第４データとのうち少なくともいずれかに基づいて画像を抽出する抽出部と、
抽出された前記画像を表示する表示部と
を有する表示装置。
【請求項２】
前記抽出部は、前記第３データにより特定される前記使用者と一致する使用者を特定する第１データ又は第２データに関連付けられ、且つ前記第４データにより特定される前記使用者と一致する使用者を特定する第１データ又は第２データに関連付けられている画像を抽出する
請求項１記載の表示装置。
【請求項３】
前記抽出部は、前記第３データにより特定される前記使用者と一致する使用者を特定する第１データ又は第２データに関連付けられ、あるいは前記第４データにより特定される前記使用者と一致する使用者を特定する第１データ又は第２データに関連付けられている画像を抽出する
請求項１記載の表示装置。
【請求項４】
撮影装置と表示装置とを有する表示システムであって、
前記撮影装置は、
画像を撮影する撮影部と、
前記撮影装置の使用者を特定する第１データと前記撮影装置に近接する装置の使用者を特定する第２データとのうち少なくとも一方を、撮影された前記画像に関連付ける関連部と
を有し、
前記表示装置は、
前記撮影装置で撮影された画像群の中から、前記表示装置の使用者を特定する第３データと前記表示装置に近接する装置の使用者を特定する第４データとのうち少なくともいずれかに基づいて画像を抽出する抽出部と、
抽出された前記画像を表示する表示部と
を有する表示システム。
【請求項５】
撮影装置の使用者を特定する第１データと前記撮影装置に近接する装置の使用者を特定する第２データとのうち少なくとも一方と各々関連付けられた画像群の中から、コンピュータの使用者を特定する第３データと前記コンピュータに近接する装置の使用者を特定する第４データとのうち少なくともいずれかに基づいて画像を抽出する処理と、
抽出された前記画像を表示する処理と
を前記コンピュータに実行させるための表示制御プログラム。
【発明の詳細な説明】
【技術分野】
【０００１】
本発明は、出力しようとする画像を選び出す技術に関する。
【背景技術】
【０００２】
ある文献には、画像を保持するサーバ側で、インターネットを介して画像を見ようとするユーザ（以下、見者という。）から画像の公開要求を受け付け、公開が許可されている者による公開要求であると判定した場合に、当該画像を当該見者に公開する技術が開示されている。このようにすることにより、公開が許可されていない者が画像を観賞することを抑制する。
【０００３】
この技術の場合、見者が画像の公開を要求する時点で、対象となる画像は特定されている。つまり、自ら欲する画像を何らかの方法で見者が特定していることを前提としている。
【０００４】
従って、この技術は見者が自らに関連する画像を選び出すことには役立たない。多くの画像が登録されている場合に、見者に関連する画像が存在していたとしても、見者はそれを見落とすかもしれない。また、見者に関連する画像を探そうとするときに、無用な画像を表示させることになるかもしれない。
【０００５】
画像を観賞しようとする者に効率よく画像を見せるために、それぞれの見者用のフォルダを設け、画像を格納する段階で各画像をフォルダに振り分けておくことも考えられる。しかし、画像の振り分けには手間がかかる。また、複数の見者が同時に観賞することも想定すると、単純な振り分けでは対応できない。
【先行技術文献】
【特許文献】
【０００６】
【特許文献１】再公表特許ＷＯ０２／００８９１５号公報
【発明の概要】
【発明が解決しようとする課題】
【０００７】
本発明の目的は、一側面では、見者が自ら撮影に関わった画像を選び出させることである。
【課題を解決するための手段】
【０００８】
一態様の表示装置は、（Ａ）撮影装置の使用者を特定する第１データと撮影装置に近接する装置の使用者を特定する第２データとのうち少なくとも一方と各々関連付けられた画像群の中から、本表示装置の使用者を特定する第３データと本表示装置に近接する装置の使用者を特定する第４データとのうち少なくともいずれかに基づいて画像を抽出する抽出部と、（Ｂ）抽出された画像を表示する表示部とを有する。
【０００９】
一態様の表示システムは、撮影装置と表示装置とを有し、撮影装置は、（Ａ）画像を撮影する撮影部と、（Ｂ）撮影装置の使用者を特定する第１データと撮影装置に近接する装置の使用者を特定する第２データとのうち少なくとも一方を、撮影された画像に関連付ける関連部とを有し、表示装置は、（Ｃ）撮影装置で撮影された画像群の中から、表示装置の使用者を特定する第３データと表示装置に近接する装置の使用者を特定する第４データとのうち少なくともいずれかに基づいて画像を抽出する抽出部と、（Ｄ）抽出された画像を表示する表示部とを有する。
【発明の効果】
【００１０】
一側面においては、見者が自ら撮影に関わった画像を選び出させることができる。
【図面の簡単な説明】
【００１１】
【図１】図１は、表示システムが用いられる様子を示す図である。
【図２】図２は、表示システムが用いられる様子を示す図である。
【図３】図３は、携帯端末装置のハードウエア構成例を示す図である。
【図４】図４は、識別データの例を示す図である。
【図５】図５は、画像ファイルの例を示す図である。
【図６】図６は、携帯端末装置のモジュール構成例を示す図である。
【図７】図７は、撮影時の処理フローを示す図である。
【図８Ａ】図８Ａは、検出処理フローを示す図である。
【図８Ｂ】図８Ｂは、検出処理フローを示す図である。
【図９】図９は、表示時の処理フローを示す図である。
【図１０】図１０は、画像抽出処理Ａフローを示す図である。
【図１１】図１１は、実施の形態２において表示システムが用いられる様子を示す図である。
【図１２】図１２は、実施の形態２において表示システムが用いられる様子を示す図である。
【図１３】図１３は、実施の形態２に係る表示時の処理フローを示す図である。
【図１４】図１４は、画像抽出処理Ｂフローを示す図である。
【図１５】図１５は、実施の形態３に係る表示時の処理フローを示す図である。
【図１６】図１６は、実施の形態４に係る携帯端末装置のモジュール構成例を示す図である。
【発明を実施するための形態】
【００１２】
［実施の形態１］
図１に、表示システムが用いられる様子を示す。Ａ．Ｓさんは、携帯端末装置１０１ａを保持している。Ｂ．Ｔさんは、携帯端末装置１０１ｂを保持している。Ｃ．Ｕさんは、携帯端末装置１０１ｃを保持している。携帯端末装置１０１ａは、カメラと近距離無線通信部と表示部とを備えている。携帯端末装置１０１ｂと携帯端末装置１０１ｃとは、近距離無線通信部を備えている。携帯端末装置１０１ａ、携帯端末装置１０１ｂ及び携帯端末装置１０１ｃは、近距離無線通信部を備えているという意味で、いずれも近距離無線通信装置の例である。この例では、携帯端末装置１０１ａが近距離無線通信によって近距離無線通信装置をサーチし、他の携帯端末装置１０１を検出すると、その検出された携帯端末装置１０１の使用者のメールアドレスを特定する。
【００１３】
枠１１１の囲みと枠１１３の囲みとは、画像を撮影する状況を示している。枠１１５の囲みは、撮影された画像が表示される状況を示している。
【００１４】
００３．ｊｐｇは、枠１１１で囲まれた状況で携帯端末装置１０１ａによって撮影された画像ファイルである。００７．ｊｐｇは、枠１１３で囲まれた状況で携帯端末装置１０１ａによって撮影された画像ファイルである。画像ファイル００３．ｊｐｇと画像ファイル００７．ｊｐｇとは、携帯端末装置１０１ａで保持され、枠１１５で囲まれた状況において表示される。
【００１５】
各状況について詳しく述べる。枠１１１で囲まれた状況では、Ａ．Ｓさんの近くにＢ．Ｔさんがいる。このとき、携帯端末装置１０１ａは撮影装置の例である。Ａ．Ｓさんが携帯端末装置１０１ａを用いて、撮影を行おうとするときに、携帯端末装置１０１ａは、近距離無線通信装置のサーチを行う。その結果、携帯端末装置１０１ａは携帯端末装置１０１ｂを検出し、携帯端末装置１０１ｂの使用者であるＢ．Ｔさんのメールアドレスを特定する。このとき、携帯端末装置１０１ｂは撮影装置に近接する装置の例である。
【００１６】
そして、Ａ．Ｓさんが操作して携帯端末装置１０１ａで撮られた画像ファイル（００３．ｊｐｇ）には、Ｂ．Ｔさんのメールアドレスが付加される。また、Ａ．Ｓさん自身のメールアドレスも付加される。
【００１７】
つまり、枠１１１で囲まれた状況で撮影された画像ファイル（００３．ｊｐｇ）に付加されたメールアドレスによって、撮影現場にＡ．ＳさんとＢ．Ｔさんとがいたことがわかるようにする。尚、Ａ．Ｓさん自身が被写体となることもある。また、Ｂ．Ｔさんが被写体となることもある。あるいは、Ａ．ＳさんとＢ．Ｔさんとがいっしょに被写体となることもある。
【００１８】
一方、枠１１３で囲まれた状況では、Ａ．Ｓさんの近くにＢ．Ｔさんの他にＣ．Ｕさんもいる。このとき、携帯端末装置１０１ａは撮影装置の例である。Ａ．Ｓさんが携帯端末装置１０１ａを用いて、撮影を行おうとするときに、携帯端末装置１０１ａは、枠１１１で囲まれた状況と同様に、近距離無線通信装置のサーチを行う。その結果、携帯端末装置１０１ａは携帯端末装置１０１ｂと携帯端末装置１０１ｃとを検出し、携帯端末装置１０１ｂの使用者であるＢ．Ｔさんのメールアドレスと携帯端末装置１０１ｃの使用者であるＣ．Ｕさんのメールアドレスとを特定する。このとき、携帯端末装置１０１ｂと携帯端末装置１０１ｃとは撮影装置に近接する装置の例である。
【００１９】
そして、Ａ．Ｓさんが操作して携帯端末装置１０１ａで撮られた画像ファイル（００７．ｊｐｇ）には、Ｂ．ＴさんのメールアドレスとＣ．Ｕさんのメールアドレスとが付加される。また、Ａ．Ｓさん自身のメールアドレスも付加される。
【００２０】
つまり、枠１１３で囲まれた状況で撮影された画像ファイル（００７．ｊｐｇ）に付加されたメールアドレスによって、撮影現場にＡ．ＳさんとＢ．ＴさんとＣ．Ｕさんとがいたことがわかるようにする。尚、Ａ．Ｓさん自身が被写体となることもある。また、Ｂ．Ｔさんが被写体となることもある。更に、Ｃ．Ｕさんが被写体となることもある。あるいは、Ａ．ＳさんとＢ．ＴさんとＣ．Ｕさんとがいっしょに被写体となることもある。
【００２１】
枠１１５の囲みは、別の機会にＡ．ＳさんとＢ．Ｔさんとが、携帯端末装置１０１ａに保持されている画像を見ようとする状況を示している。携帯端末装置１０１ａは、枠１１１で囲まれた状況で撮影された画像ファイル（００３．ｊｐｇ）と枠１１３で囲まれた状況で撮影された画像ファイル（００７．ｊｐｇ）とを格納しているものとする。このとき、携帯端末装置１０１ａは、表示装置の例である。また、Ａ．ＳさんとＢ．Ｔさんとは見者の例である。
【００２２】
Ａ．Ｓさんが携帯端末装置１０１ａに格納されている画像を表示させようとするときに、携帯端末装置１０１ａは、枠１１１及び枠１１３で囲まれた状況の場合と同様に、近距離無線通信装置のサーチを行う。その結果、携帯端末装置１０１ａは携帯端末装置１０１ｂを検出し、携帯端末装置１０１ｂの使用者であるＢ．Ｔさんのメールアドレスを特定する。また、Ａ．Ｓさん自身のメールアドレスも特定する。
【００２３】
そして、携帯端末装置１０１ａは、画像ファイルの付加データに、Ａ．ＳさんのメールアドレスとＢ．Ｔさんのメールアドレスとの両方が含まれている画像を抽出し、表示させる。枠１１１で囲まれた状況で撮影された画像ファイル（００３．ｊｐｇ）には、Ａ．ＳさんのメールアドレスとＢ．Ｔさんのメールアドレスとが付加されているので、この画像は抽出され、表示される。また、枠１１３で囲まれた状況で撮影された画像ファイル（００７．ｊｐｇ）の付加データは、Ａ．ＳさんのメールアドレスとＢ．Ｔさんのメールアドレスとを含むので、この画像も抽出され、表示される。つまり、見者であるＡ．ＳさんとＢ．Ｔさんが共に撮影現場にいた画像が抽出される。
【００２４】
図２に、表示システムが用いられる別の様子を示す。図１の場合と同様に、Ａ．Ｓさんは、携帯端末装置１０１ａを保持している。同じくＢ．Ｔさんは、携帯端末装置１０１ｂを保持している。同じくＣ．Ｕさんは、携帯端末装置１０１ｃを保持している。携帯端末装置１０１ａが、カメラと近距離無線通信部と表示部とを備え、携帯端末装置１０１ｂと携帯端末装置１０１ｃとが、近距離無線通信部を備えている点も、図１の場合と同様である。
【００２５】
枠２０１の囲みは、画像を撮影する状況を示している。枠２０３の囲みは、撮影された画像を表示しようとする状況を示している。
【００２６】
００５．ｊｐｇは、枠２０１で囲まれた状況で携帯端末装置１０１ａによって撮影された画像ファイルである。画像ファイル００５．ｊｐｇは、携帯端末装置１０１ａで保持されるが、枠２０３で囲まれた状況では表示されない。
【００２７】
各状況について詳しく述べる。枠２０１で囲まれた状況では、Ａ．Ｓさんの近くにＣ．Ｕさんがいる。このとき、携帯端末装置１０１ａは撮影装置の例である。Ａ．Ｓさんが携帯端末装置１０１ａを用いて、撮影を行おうとするときに、携帯端末装置１０１ａは、近距離無線通信装置のサーチを行う。その結果、携帯端末装置１０１ａは携帯端末装置１０１ｃを検出し、携帯端末装置１０１ｃの使用者であるＣ．Ｕさんのメールアドレスを特定する。このとき、携帯端末装置１０１ｃは撮影装置に近接する装置の例である。
【００２８】
そして、Ａ．Ｓさんが操作して携帯端末装置１０１ａで撮られた画像ファイル（００５．ｊｐｇ）には、Ｃ．Ｕさんのメールアドレスが付加される。また、Ａ．Ｓさん自身のメールアドレスも付加される。
【００２９】
つまり、枠２０１で囲まれた状況で撮影された画像ファイル（００５．ｊｐｇ）に付加されたメールアドレスによって、撮影現場にＡ．ＳさんとＣ．Ｕさんとがいたことがわかるようにする。尚、Ａ．Ｓさん自身が被写体となることもある。また、Ｃ．Ｕさんが被写体となることもある。Ａ．ＳさんとＣ．Ｕさんとがいっしょに被写体となることもある。
【００３０】
枠２０３の囲みは、別の機会にＡ．ＳさんとＢ．Ｔさんとが、携帯端末装置１０１ａに保持されている画像を見ようとする状況を示している。携帯端末装置１０１ａは、枠２０１で囲まれた状況で撮影された画像ファイル（００５．ｊｐｇ）を格納しているものとする。携帯端末装置１０１ａは、表示装置の例である。また、Ａ．ＳさんとＢ．Ｔさんとは見者の例である。
【００３１】
Ａ．Ｓさんが携帯端末装置１０１ａに格納されている画像を表示させようとするときに、携帯端末装置１０１ａは、枠２０１で囲まれた状況の場合と同様に、近距離無線通信装置のサーチを行う。その結果、携帯端末装置１０１ａは携帯端末装置１０１ｂを検出し、携帯端末装置１０１ｂの使用者であるＢ．Ｔさんのメールアドレスを特定する。また、Ａ．Ｓさん自身のメールアドレスも特定する。
【００３２】
そして、携帯端末装置１０１ａは、画像ファイルの付加データに、Ａ．ＳさんのメールアドレスとＢ．Ｔさんのメールアドレスとの両方が含まれている画像を抽出しようとする。しかし、枠２０１で囲まれた状況で撮影された画像ファイル（００５．ｊｐｇ）の付加データは、Ａ．Ｓさんのメールアドレスを含むが、Ｂ．Ｔさんのメールアドレスを含まないので、この画像は抽出されず、表示もされない。つまり、見者の一方であるＢ．Ｔさんが撮影現場にいなかった画像は抽出されない。
【００３３】
図１と図２で説明したように、本実施の形態では、画像に付加されているメールアドレスに基づいて、表示させる画像を抽出する。メールアドレスは、人物を特定するデータの例である。図１で説明したように、すべての見者が撮影現場にいたと想定される画像は抽出されるが、図２で説明したように、一部の見者でも撮影現場にいなかったと想定される画像は抽出されない。
【００３４】
図１と図２とに示した状況を具体的な利用態様で説明する。例えば、Ａ．Ｓさんは、Ｘ社の部品Ｐを販売する営業担当であるとする。Ｂ．Ｔさんは、部品Ｐについて購入を検討しているＹ社の社長であるとする。Ｃ．Ｕさんは、部品Ｐについて購入を検討しているＺ社の社長であるとする。
【００３５】
図１に示した枠１１１の囲みは、Ａ．ＳさんがＹ社を訪問し、Ｂ．Ｔさんと商談を行った状況を示しているものとする。Ａ．Ｓさんは、部品Ｐを組み込む製品Ｑの製造ラインを撮影し、００３．ｊｐｇは、そのとき撮影された画像ファイルであるものとする。
【００３６】
図１に示した枠１１５の囲みは、後日Ａ．ＳさんがＢ．Ｔさんと再び商談を行う状況を示しているものとする。このとき、枠１１１の状況で撮影された画像ファイル００３．ｊｐｇを抽出し、表示させることによって、例えば部品Ｐを製品Ｑに組み込む工程について検証する。
【００３７】
また、図１に示した枠１１３の囲みは、Ｘ社で部品Ｐの説明会を開催し、Ｂ．ＴさんとＣ．Ｕさんとが同席した状況を示しているものとする。このとき、Ａ．Ｓさんは、Ｂ．ＴさんとＣ．Ｕさんとを互いに紹介し、３人で記念撮影を行ったものとする。
【００３８】
枠１１５の囲みで示した商談の状況において、枠１１３の囲みで示した状況で撮影された画像ファイル００７．ｊｐｇを抽出し、表示させることによって、説明会を話題にして円滑なコミュニケーションを図ることができる。
【００３９】
３人で記念撮影をしたこと自体をＣ．Ｕさんは認識しているので、この画像をＡ．ＳさんとＢ．Ｔさんとで観賞しても問題はない。
【００４０】
図２に示した枠２０１の囲みは、Ａ．ＳさんがＺ社を訪問し、Ｃ．Ｕさんと商談を行った状況を示しているものとする。Ａ．Ｓさんは、部品Ｐを組み込む製品Ｒの製造ラインを撮影し、００５．ｊｐｇは、そのとき撮影された画像ファイルであるものとする。
【００４１】
図２に示した枠２０３の囲みは、後日Ａ．ＳさんがＢ．Ｔさんと商談を行う状況を示しているものとする。このとき、枠２０１の囲みで示された状況で撮影された画像ファイル００５．ｊｐｇは抽出されず、表示もされない。
【００４２】
仮に、枠２０３の囲みで示した状況において画像ファイル００５．ｊｐｇを表示させると、他社の状況（Ｚ社の製造ライン）を開示することになってしまう。このような行為は、秘密情報の流出となる恐れもある。秘密に関わらない情報であったとしても、Ｃ．Ｕさんに無断であれば、Ｘ社の信用を失墜させることになるかもしれない。また、Ｂ．Ｔさんが他社の状況（Ｚ社の製造ライン）について興味を持っていない場合であっても、画像ファイル００５．ｊｐｇを表示することは無駄である。
【００４３】
このように、見者の全員に関連する画像を抽出して表示させることによって、他者への不適切な情報開示を防げる。また、無駄な表示を行うことも防げる。ここでは、ビジネスにおける利用態様の例を示したが、家族との日常生活や友人との付き合いなどで撮影された画像を表示させるようなプライベートな利用態様においても類似する事態が起こりうる。尚、画像は静止画に限られず、動画でも同様である。
【００４４】
次に、携帯端末装置１０１のハードウエア構成について説明する。図３に、携帯端末装置１０１のハードウエア構成例を示す。携帯端末装置１０１は、プロセッサ３０１、記憶部３０３、アンテナ３１１、無線制御部３１３、オーディオ制御部３１５、スピーカ３１７、マイク３１９、ディスプレイ３２１、タッチパッド３２３、カメラ３２５、近距離無線通信部３２７、無線ＬＡＮ通信部３２９及びＩＣカード通信部３３１を有している。
【００４５】
前述の通り、携帯端末装置１０１は近距離無線通信部３２７を備えているという意味で、近距離無線通信装置の例である。また、携帯端末装置１０１は無線ＬＡＮ通信部３２９を備えているという意味で、無線ＬＡＮ通信装置の例である。また、携帯端末装置１０１はＩＣカード通信部３３１を備えているという意味で、ＩＣカードあるいはＩＣカードリーダに相当する。
【００４６】
プロセッサ３０１は、モデムＣＰＵ（Central Processing Unit）とアプリケーションＣＰＵからなることもある。記憶部３０３は、例えば、ＲＯＭ（Read Only Memory）３０５とＲＡＭ（Random Access Memory）３０７とフラッシュメモリ３０９を有している。ＲＯＭ３０５は、例えば、予め設定されているデータやプログラムを格納している。ＲＡＭ３０７は、例えば、アプリケーションなどのプログラムやデータを展開する領域を含んでいる。ＲＡＭ３０７は、画像などの一時的なデータを格納する領域も含んでいる。フラッシュメモリ３０９は、例えば、オペレーティングシステムやアプリケーションなどのプログラムを格納しており、更に随時データを格納する。
【００４７】
タッチパッド３２３は、例えば、ディスプレイ３２１の表示画面上に配置されたパネル状のセンサであり、タッチ操作による指示を受け付ける。ディスプレイ３２１は、例えば、アプリケーションが表示させる各種画面を表示する。具体的には、ディスプレイ３２１とタッチパッド３２３とを一体としたタッチパネルとして用いられる。タッチパッド３２３へのタッチ操作によって、タッチイベントが発生する。タッチパッド３２３の他に、キーを設けるようにしてもよい。  
【００４８】
アンテナ３１１は、例えば、セルラー方式の無線データを受信する。無線制御部３１３は、無線通信の制御を行う。無線通信の制御により、電話の音声通信やデータ通信が行われる。
【００４９】
オーディオ制御部３１５は、音データに関するアナログ／デジタル変換とデジタル／アナログ変換を行う。スピーカ３１７は、アナログデータを音として出力する。マイク３１９は、音をアナログデータに変換する。
【００５０】
カメラ３２５は、画像の撮影に用いられる。カメラ３２５は、静止画を撮影するものであってもよいし、動画を撮影するものであってもよい。カメラ３２５は、静止画と動画との両方を撮影するものであってもよい。
【００５１】
近距離無線通信部３２７は、到達距離が短い通信方式による無線通信を制御する。近距離無線通信部３２７は、非接触による通信であって、例えば１メートル〜数センチメートル程度の距離で通信を行う。近距離無線通信部３２７は、相手装置をサーチするための機能を有している。サーチによって相手装置を検出した場合には、近距離無線通信部３２７は、相手装置とのペアリングを行い、相手装置の近距離無線通信装置ＩＤを特定する。つまり、近距離無線通信部３２７は、近距離無線通信装置ＩＤによって相手装置を認識する。近距離無線通信部３２７は、電波による通信を行うものであってもよいし、赤外線による通信を行うものであってもよい。
【００５２】
無線ＬＡＮ通信部３２９は、相手装置をサーチするための機能を有している。無線ＬＡＮ通信部３２９は、アクセスポイントを介して相手装置を認識するようにしてもよい。あるいは、無線ＬＡＮ通信部３２９は、アクセスポイントを介さずに、直接相手装置を認識するようにしてもよい。無線ＬＡＮ通信部３２９が相手装置を認識した場合には、相手装置の無線ＬＡＮ装置ＩＤを特定する。
【００５３】
ＩＣカード通信部３３１は、ＩＣカードあるいはＩＣカードリーダに相当し、相手装置をサーチするための機能を有している。ＩＣカード通信部３３１は、接触型であってもよいし、非接触型であってもよい。ＩＣカード通信部３３１が相手装置を認識した場合には、相手装置のＩＣカードＩＤを特定する。
【００５４】
携帯端末装置１０１は、表示装置の例であると共に、撮影装置の例でもある。表示装置は、タブレット端末、ＰＣ（Personal computer）あるいはデジタルＴＶなど他の装置であってもよい。撮影装置は、タブレット端末、ＰＣあるいはデジタルカメラなど他の装置であってもよい。また、一つの装置が、撮影装置と表示装置とを兼ねてもよい。以上で、携帯端末装置１０１のハードウエア構成についての説明を終える。
【００５５】
本実施の形態では、携帯端末装置１０１を識別するデータに基づいて、撮影現場にいる人物及び表示時の見者を特定する。次に、携帯端末装置１０１ａ乃至携帯端末装置１０１ｄを識別するためのデータの例について説明する。図４に、識別データの例を示す。ここでは、テーブル形式による識別データの例を示すが、他の形式であってもよい。各レコードは、人物に対応している。レコードは、使用者名を設定するためのフィールドと、メールアドレスを設定するためのフィールドと、近距離無線通信装置ＩＤを設定するためのフィールドと、無線ＬＡＮ装置ＩＤを設定するためのフィールドと、ＩＣカードＩＤを設定するためのフィールドとを有している。
【００５６】
使用される装置が近距離無線通信部を有していない場合には、近距離無線通信装置ＩＤは設定されない。また、使用される装置が無線ＬＡＮ通信部を有していない場合には、無線ＬＡＮ装置ＩＤは設定されない。また、使用される装置がＩＣカード通信部を有していない場合には、ＩＣカードＩＤは設定されない。
【００５７】
この例で、第１レコードは、Ａ．Ｓさんが使用している携帯端末装置１０１ａのメールアドレスが「ａａａ＠ｊｐ．ｃｏｍ」であることを示している。また、第１レコードは、Ａ．Ｓさんが使用している携帯端末装置１０１ａの近距離無線通信装置ＩＤが「ＡＡ：ＡＡ：ＡＡ：ＡＡ：ＡＡ：ＡＡ」であることを示している。また、第１レコードは、Ａ．Ｓさんが使用している携帯端末装置１０１ａの無線ＬＡＮ装置ＩＤが「０Ａ：０Ａ：０Ａ：０Ａ：０Ａ：０Ａ」であることを示している。また、第１レコードは、Ａ．Ｓさんが使用している携帯端末装置１０１ａのＩＣカードＩＤが「１１：１１：１１：１１：１１：１１：１１：１１」であることを示している。
【００５８】
この例で、第２レコードは、Ｂ．Ｔさんが使用している携帯端末装置１０１ｂのメールアドレスが「ｂｂｂ＠ｊｐ．ｃｏｍ」であることを示している。また、第２レコードは、Ｂ．Ｔさんが使用している携帯端末装置１０１ｂの近距離無線通信装置ＩＤが「ＢＢ：ＢＢ：ＢＢ：ＢＢ：ＢＢ：ＢＢ」であることを示している。また、第２レコードは、Ｂ．Ｔさんが使用している携帯端末装置１０１ｂの無線ＬＡＮ装置ＩＤが「０Ｂ：０Ｂ：０Ｂ：０Ｂ：０Ｂ：０Ｂ」であることを示している。また、第２レコードは、Ｂ．Ｔさんが使用している携帯端末装置１０１ｂのＩＣカードＩＤが「２２：２２：２２：２２：２２：２２：２２：２２」であることを示している。
【００５９】
この例で、第３レコードは、Ｃ．Ｕさんが使用している携帯端末装置１０１ｃのメールアドレスが「ｃｃｃ＠ｊｐ．ｃｏｍ」であることを示している。また、第３レコードは、Ｃ．Ｕさんが使用している携帯端末装置１０１ｃの近距離無線通信装置ＩＤが「ＣＣ：ＣＣ：ＣＣ：ＣＣ：ＣＣ：ＣＣ」であることを示している。また、第３レコードは、Ｃ．Ｕさんが使用している携帯端末装置１０１ｃの無線ＬＡＮ装置ＩＤが「０Ｃ：０Ｃ：０Ｃ：０Ｃ：０Ｃ：０Ｃ」であることを示している。また、第３レコードは、Ｃ．Ｕさんが使用している携帯端末装置１０１ｃのＩＣカードＩＤが「３３：３３：３３：３３：３３：３３：３３：３３」であることを示している。
【００６０】
この例で、第４レコードは、Ｄ．Ｖさんが使用している携帯端末装置１０１ｄのメールアドレスが「ｄｄｄ＠ｊｐ．ｃｏｍ」であることを示している。また、第４レコードは、Ｄ．Ｖさんが使用している携帯端末装置１０１ｄの近距離無線通信装置ＩＤが「ＤＤ：ＤＤ：ＤＤ：ＤＤ：ＤＤ：ＤＤ」であることを示している。また、第４レコードは、Ｄ．Ｖさんが使用している携帯端末装置１０１ｄの無線ＬＡＮ装置ＩＤが「０Ｄ：０Ｄ：０Ｄ：０Ｄ：０Ｄ：０Ｄ」であることを示している。また、第４レコードは、Ｄ．Ｖさんが使用している携帯端末装置１０１ｄのＩＣカードＩＤが「４４：４４：４４：４４：４４：４４：４４：４４」であることを示している。
【００６１】
１人に複数のメールアドレスを対応付けるようにしてもよい。１人が複数台の装置を所有する場合には、１人に複数の近距離無線通信装置ＩＤを対応付けるようにしてもよい。同じく、１人に複数の無線ＬＡＮ装置ＩＤを対応付けるようにしてもよい。同じく、１人に複数のＩＣカードＩＤを対応付けるようにしてもよい。以上で、識別データについての説明を終える。
【００６２】
図５に、携帯端末装置１０１ａに格納されている画像ファイルの例を示す。画像ファイルは、画像データと付加データとを含んでいる。「００１．ｊｐｇ」の画像ファイルと「００２．ｊｐｇ」の画像ファイルとには、付加データにＡ．Ｓさんのメールアドレス「ａａａ＠ｊｐ．ｃｏｍ」が設定されている。つまり、「００１．ｊｐｇ」の画像ファイルと「００２．ｊｐｇ」の画像ファイルとは、携帯端末装置１０１ａが他の携帯端末装置１０１を検出しなかった状況で撮影された画像のファイルである。
【００６３】
「００３．ｊｐｇ」の画像ファイルと「００４．ｊｐｇ」の画像ファイルとには、付加データにＡ．Ｓさんのメールアドレス「ａａａ＠ｊｐ．ｃｏｍ」とＢ．Ｔさんのメールアドレス「ｂｂｂ＠ｊｐ．ｃｏｍ」とが設定されている。つまり、「００３．ｊｐｇ」の画像ファイルと「００４．ｊｐｇ」の画像ファイルとは、例えば図１の枠１１１の囲みに示したようにＡ．Ｓさんの近くにＢ．Ｔさんがいて、携帯端末装置１０１ａが携帯端末装置１０１ｂを検出した状況で撮影された画像のファイルである。
【００６４】
「００５．ｊｐｇ」の画像ファイルと「００６．ｊｐｇ」の画像ファイルとには、付加データにＡ．Ｓさんのメールアドレス「ａａａ＠ｊｐ．ｃｏｍ」とＣ．Ｕさんのメールアドレス「ｃｃｃ＠ｊｐ．ｃｏｍ」とが設定されている。つまり、「００５．ｊｐｇ」の画像ファイルと「００６．ｊｐｇ」の画像ファイルとは、例えば図２の枠２０１の囲みに示したようにＡ．Ｓさんの近くにＣ．Ｕさんがいて、携帯端末装置１０１ａが携帯端末装置１０１ｃを検出した状況で撮影された画像のファイルである。
【００６５】
「００７．ｊｐｇ」の画像ファイルと「００８．ｊｐｇ」の画像ファイルとには、付加データにＡ．Ｓさんのメールアドレス「ａａａ＠ｊｐ．ｃｏｍ」とＢ．Ｔさんのメールアドレス「ｂｂｂ＠ｊｐ．ｃｏｍ」とＣ．Ｕさんのメールアドレス「ｃｃｃ＠ｊｐ．ｃｏｍ」とが設定されている。つまり、「００７．ｊｐｇ」の画像ファイルと「００８．ｊｐｇ」の画像ファイルとは、例えば図１の枠１１３の囲みに示したようにＡ．Ｓさんの近くにＢ．ＴさんとＣ．Ｕさんとがいて、携帯端末装置１０１ａが携帯端末装置１０１ｂと携帯端末装置１０１ｃとを検出した状況で撮影された画像のファイルである。以上で、携帯端末装置１０１ａに格納されている画像ファイルの例についての説明を終える。
【００６６】
続いて、携帯端末装置１０１のモジュール構成について説明する。図６に、携帯端末装置１０１のモジュール構成例を示す。携帯端末装置１０１は、識別データ格納部６０１、検出部６０３、近接者テーブル記憶部６０５、撮影部６０７、画像ファイル格納部６０９、関連部６１１、抽出部６１３及び表示部６１５を有している。
【００６７】
これらのモジュールは、例えば図３に示したハードウエア資源によって実現される。また、検出部６０３、撮影部６０７、関連部６１１、抽出部６１３及び表示部６１５は、当該モジュールの処理の一部又は全部を、例えばＲＡＭ３０７にロードされたプログラムをプロセッサ３０１で順次実行することにより実現するようにしてもよい。近距離無線通信部３２７、無線ＬＡＮ通信部３２９及びＩＣカード通信部３３１は、図３と同様である。
【００６８】
識別データ格納部６０１は、例えば図４に示したように、装置とその使用者である人物を特定するための識別データを格納している。ここでいう装置は、相手装置と自装置との夫々に相当する。検出部６０３は、主に相手装置を検出し、その使用者を特定する。
【００６９】
近接者テーブル記憶部６０５は、主に相手装置の使用者のメールアドレスを記憶する。尚、近接者テーブル記憶部６０５は、例えば検出部６０３が検出を開始する段階でクリアされる。
【００７０】
撮影部６０７は、画像を撮影する。画像ファイル格納部６０９は、撮影により生成された画像ファイルを格納する。関連部６１１は、画像ファイルの付加データにメールアドレスを書き込む。抽出部６１３は、メールアドレスに基づいて、画像を抽出する。表示部６１５は、抽出された画像を表示する。以上で、携帯端末装置１０１のモジュール構成についての説明を終える。
【００７１】
まず、撮影時の処理について説明する。図７に、撮影時の処理フローを示す。撮影モードに切り替わると、検出部６０３は、検出処理を実行する（Ｓ７０１）。
【００７２】
図８Ａと図８Ｂとに、検出処理フローを示す。近距離無線通信部３２７は、近距離無線通信装置のサーチを行う（Ｓ８０１）。検出部６０３は、近距離無線通信部３２７からサーチ結果を取得する。
【００７３】
検出部６０３は、近距離無線通信装置を検出したか否かを判定する（Ｓ８０３）。近距離無線通信装置を検出したと判定した場合には、検出部６０３は、近距離無線通信装置ＩＤに対応する使用者を特定する（Ｓ８０５）。検出部６０３は、近接者テーブル記憶部６０５に当該使用者のメールアドレスを書く（Ｓ８０７）。例えば、検出された近距離無線通信装置ＩＤが「ＢＢ：ＢＢ：ＢＢ：ＢＢ：ＢＢ：ＢＢ」であれば、その使用者Ｂ．Ｔさんのメールアドレス「ｂｂｂ＠ｊｐ．ｃｏｍ」が、近接者テーブル記憶部６０５に登録される。近距離無線通信装置を複数検出した場合には、検出部６０３は、それぞれの近距離無線通信装置について、Ｓ８０５とＳ８０７との処理を行う。そして、Ｓ８０９の処理に移る。
【００７４】
一方、Ｓ８０３で近距離無線通信装置を検出しなかったと判定した場合には、検出部６０３は、Ｓ８０５とＳ８０７との処理を行わずにＳ８０９の処理に移る。
【００７５】
無線ＬＡＮ通信部３２９は、無線ＬＡＮ装置のサーチを行う（Ｓ８０９）。検出部６０３は、無線ＬＡＮ通信部３２９からサーチ結果を取得する。
【００７６】
検出部６０３は、無線ＬＡＮ装置を検出したか否かを判定する（Ｓ８１１）。無線ＬＡＮ装置を検出したと判定した場合には、検出部６０３は、無線ＬＡＮ装置ＩＤに対応する使用者を特定する（Ｓ８１３）。検出部６０３は、近接者テーブル記憶部６０５に当該使用者のメールアドレスを書く（Ｓ８１５）。例えば、検出された無線ＬＡＮ装置ＩＤが「０Ｃ：０Ｃ：０Ｃ：０Ｃ：０Ｃ：０Ｃ」であれば、その使用者Ｃ．Ｕさんのメールアドレス「ｃｃｃ＠ｊｐ．ｃｏｍ」が、近接者テーブル記憶部６０５に登録される。無線ＬＡＮ装置を複数検出した場合には、検出部６０３は、それぞれの無線ＬＡＮ装置について、Ｓ８１３とＳ８１５との処理を行う。そして、端子Ａを介して図８Ｂに示したＳ８１７の処理に移る。
【００７７】
一方、Ｓ８１１で無線ＬＡＮ装置を検出しなかったと判定した場合には、検出部６０３は、Ｓ８１３とＳ８１５との処理を行わずに端子Ａを介して図８Ｂに示したＳ８１７の処理に移る。
【００７８】
図８Ｂの説明に移って、ＩＣカード通信部３３１は、ＩＣカードの検出を行う（Ｓ８１７）。検出部６０３は、ＩＣカード通信部３３１からサーチ結果を取得する。
【００７９】
検出部６０３は、ＩＣカードを検出したか否かを判定する（Ｓ８１９）。ＩＣカードを検出したと判定した場合には、検出部６０３は、ＩＣカードＩＤに対応する使用者を特定する（Ｓ８２１）。検出部６０３は、近接者テーブル記憶部６０５に当該使用者のメールアドレスを書く（Ｓ８２３）。例えば、検出されたＩＣカードＩＤが「４４：４４：４４：４４：４４：４４：４４：４４」であれば、その使用者Ｄ．Ｖさんのメールアドレス「ｄｄｄ＠ｊｐ．ｃｏｍ」が、近接者テーブル記憶部６０５に登録される。ＩＣカードを複数検出した場合には、検出部６０３は、それぞれのＩＣカードについて、Ｓ８２１とＳ８２３との処理を行う。そして、図７のＳ７０３の処理に戻る。
【００８０】
一方、Ｓ８１９でＩＣカードを検出しなかったと判定した場合には、検出部６０３は、Ｓ８２１とＳ８２３との処理を行わずに、図７のＳ７０３の処理に戻る。
【００８１】
この例では、各ＩＤが予め識別データに含まれていることを前提とした処理を示したが、検出したＩＤが識別データに含まれていないと判定した場合には、検出部６０３は、その都度検出したＩＤを識別データに登録するようにしてもよい。そのとき、検出部６０３は、例えば電話帳から使用者名とメールアドレスとをユーザに選択させ、あるいはユーザ操作によって使用者名とメールアドレスとを受け付け、ＩＤと対応付ける。あるいは、検出部６０３は、画像に含まれる顔を自動認識して、使用者を特定するようにしてもよい。
【００８２】
図７に示した処理の説明に戻って、撮影部６０７は、シャッターを押されたか否かを判定する（Ｓ７０３）。シャッターを押されたと判定した場合には、撮影部６０７は、撮影処理を実行する（Ｓ７０５）。撮影処理によって、撮影部６０７はカメラ３２５で撮影された画像をファイル形式のデータに変換して画像ファイル格納部６０９に格納させる。関連部６１１は、画像ファイルの付加データにメールアドレスを書く（Ｓ７０７）。具体的には、関連部６１１は近接者テーブル記憶部６０５に記憶されているメールアドレスを読み、読んだメールアドレスを画像ファイルの付加データに設定する。近接者テーブル記憶部６０５に複数のメールアドレスが記憶されている場合には、それぞれのメールアドレスを画像ファイルの付加データに書く。
【００８３】
この例では、当該携帯端末装置１０１（撮影装置の例）の使用者のメールアドレスも、画像ファイルの付加データに書く。例えば、携帯端末装置１０１ａで撮影した場合には、携帯端末装置１０１ａの使用者Ａ．Ｓさんのメールアドレス「ａａａ＠ｊｐ．ｃｏｍ」も画像ファイルの付加データに書く。
【００８４】
但し、当該携帯端末装置１０１の使用者のメールアドレスを画像ファイルの付加データに書かないようにしてもよい。あるいは、近接者テーブル記憶部６０５に記憶されているメールアドレスを書かずに、当該携帯端末装置１０１の使用者のメールアドレスを画像ファイルの付加データに書くようにしてもよい。Ｓ７０７の処理を終えると、Ｓ７０９の処理に移る。
【００８５】
一方、Ｓ７０３でシャッターを押されていないと判定した場合には、Ｓ７０９に移る。撮影部６０７は、撮影モードの終了が指示されたか否かを判定する（Ｓ７０９）。撮影モードの終了が指示されていないと判定した場合には、Ｓ７０３の処理に戻って、上述の処理を繰り返す。
【００８６】
撮影モードの終了が指示されたと判定した場合には、撮影時の処理を終了する。
【００８７】
この例では、最初に近接する携帯端末装置１０１を検出し、撮影の都度メールアドレスを付加データに設定する処理を示したが、先に撮影を繰り返し、後で近接する携帯端末装置１０１を検出し、撮りためた画像群の付加データにメールアドレスを設定するようにしてもよい。以上で、撮影時の処理についての説明を終える。
【００８８】
続いて、表示時の処理について説明する。図９に、表示時の処理フローを示す。表示モードに切り替わると、検出部６０３は、検出処理を実行する（Ｓ９０１）。表示時における検出処理（Ｓ９０１）は、図８Ａと図８Ｂに示した検出処理と同様である。表示時において近接者テーブル記憶部６０５に記憶されているメールアドレスは、見者を特定するデータである。
【００８９】
また、検出部６０３は、近接者テーブル記憶部６０５に当該表示装置（この例では、携帯端末装置１０１）の使用者のメールアドレスを書く（Ｓ９０３）。例えば、携帯端末装置１０１ａで画像を表示させようとする場合には、携帯端末装置１０１ａの使用者であるＡ．Ｓさんのメールアドレス「ａａａ＠ｊｐ．ｃｏｍ」を近接者テーブル記憶部６０５に書く。このように処理することによって、当該表示装置の使用者も見者と想定されるようになる。
【００９０】
この例では、表示装置の使用者のメールアドレスと、表示装置に近接する装置の使用者のメールアドレスとの両方を近接者テーブルに書く例を示したが、いずれか一方を格納するようにしてもよい。
【００９１】
抽出部６１３は、画像抽出処理を実行する（Ｓ９０５）。本実施の形態では、画像抽出処理Ａについて説明する。但し、後述する画像抽出処理Ｂを実行するようにしてもよい。
【００９２】
図１０に、画像抽出処理Ａフローを示す。抽出部６１３は、画像ファイル格納部６０９に格納されている画像ファイルのうち、未処理の画像ファイルを１つ特定する（Ｓ１００１）。抽出部６１３は、画像ファイルの付加データを読む（Ｓ１００３）。そして、抽出部６１３は、付加データに含まれるメールアドレスを特定する。
【００９３】
抽出部６１３は、近接者テーブル記憶部６０５に記憶されているメールアドレスが、すべて付加データに含まれているか否かを判定する（Ｓ１００５）。近接者テーブル記憶部６０５に記憶されているメールアドレスが、すべて付加データに含まれていると判定した場合には、抽出部６１３は、当該画像ファイルを表示対象に設定する（Ｓ１００７）。例えば、表示対象である画像ファイルを格納するためのフォルダを設けて、そのフォルダに当該画像ファイルをコピーあるいは移動させるようにしてもよい。
【００９４】
一方、近接者テーブル記憶部６０５に記憶されているメールアドレスのうち少なくとも１つが、付加データに含まれていないと判定した場合には、当該画像ファイルを表示対象に設定しない。
【００９５】
そして、抽出部６１３は、画像ファイル格納部６０９に格納されている画像ファイルのうち、未処理の画像ファイルが残っているか否かを判定する（Ｓ１００９）。画像ファイル格納部６０９に格納されている画像ファイルのうち、未処理の画像ファイルが残っていると判定した場合には、Ｓ１００１の処理に戻って、上述の処理を繰り返す。
【００９６】
例えば、図１の枠１１５で囲まれた状況及び図２の枠２０３で囲まれた状況において、携帯端末装置１０１ａ（表示装置の例）の使用者Ａ．Ｓさんのメールアドレス「ａａａ＠ｊｐ．ｃｏｍ」が付加データに含まれ、且つ携帯端末装置１０１ｂ（表示装置に近接する装置の例）の使用者Ｂ．Ｔさんのメールアドレス「ｂｂｂ＠ｊｐ．ｃｏｍ」が付加データに含まれている画像ファイルが表示対象として抽出される。具体的には、図５に示した画像ファイルのうち、付加データに「ａａａ＠ｊｐ．ｃｏｍ，ｂｂｂ＠ｊｐ．ｃｏｍ」を含む画像ファイル００３．ｊｐｇと画像ファイル００４．ｊｐｇが抽出される。更に、付加データに「ａａａ＠ｊｐ．ｃｏｍ，ｂｂｂ＠ｊｐ．ｃｏｍ，ｃｃｃ＠ｊｐ．ｃｏｍ」を含む画像ファイル００７．ｊｐｇと画像ファイル００８．ｊｐｇが抽出される。一方、付加データに「ｂｂｂ＠ｊｐ．ｃｏｍ」を含まない画像ファイル００１．ｊｐｇ、画像ファイル００２．ｊｐｇ、画像ファイル００５．ｊｐｇ及び画像ファイル００６．ｊｐｇは、抽出されない。
【００９７】
図１０のＳ１００９で、画像ファイル格納部６０９に格納されている画像ファイルのうち、未処理の画像ファイルが残っていないと判定した場合には、図９に示すＳ９０７の処理に戻る。
【００９８】
図９の説明に戻って、表示部６１５は、表示対象の画像ファイルを表示させる（Ｓ９０７）。表示対象の画像ファイルが複数設定されている場合には、表示対象の画像ファイルを順次表示させるようにしてもよい。所定間隔によって、自動的に順次表示させてもよいし、ユーザ指示を受け付けた場合に、次の画像を表示させるようにしてもよい。あるいは、表示部６１５は、複数の画像ファイルを一覧表示するようにしてもよい。以上で、表示時の処理についての説明を終える。
【００９９】
本実施の形態によれば、見者が自ら撮影に関わった画像を選ばせて表示させることができる。つまり、見者が関係すると想定される画像が抽出されるので、見者にとって有用な画像が効率よく表示されるようになる。また、見者に関係しないと想定される画像は抽出されないので、見者にとって無用な画像の表示は抑制される。
【０１００】
画像抽出処理Ａによれば、表示装置の使用者である見者と、表示装置に近接する装置の使用者である見者との両方が、自ら撮影に関わった画像を選ばせて表示させることができる。つまり、両見者が関係すると想定される画像が抽出されるので、両見者にとって有用な画像が効率よく表示されるようになる。また、少なくともいずれかの見者に関係しないと想定される画像は抽出されないので、いずれかの見者にとって無用な画像の表示は抑制される。
【０１０１】
［実施の形態２］
上述の実施の形態では、見者全員が撮影現場にいた場合に当該画像を表示する例を示したが、本実施の形態では、複数の見者のうち少なくとも１人が撮影現場にいた場合に当該画像を表示する例を説明する。
【０１０２】
また、上述の実施の形態では、表示時に表示装置の使用者のメールアドレスを自動的に近接者テーブル記憶部６０５に登録する例について説明したが、本実施の形態では、この自動登録を行わない例について説明する。
【０１０３】
図１１に、実施の形態２において表示システムが用いられる様子を示す。Ａ．Ｓさんは、携帯端末装置１０１ａを保持している。Ｂ．Ｔさんは、携帯端末装置１０１ｂを保持している。Ｃ．Ｕさんは、携帯端末装置１０１ｃを保持している。Ｄ．Ｖさんは、携帯端末装置１０１ｄを保持している。携帯端末装置１０１ａは、カメラと近距離無線通信部とを備えている。携帯端末装置１０１ｂと携帯端末装置１０１ｃと携帯端末装置１０１ｄとは、近距離無線通信部を備えている。
【０１０４】
携帯端末装置１０１ｅは、画像表示用に共用されるものと想定する。携帯端末装置１０１ｅは、近距離無線通信部と表示部とを備えている。
【０１０５】
枠１１０１の囲みと枠１１０３の囲みとは、画像を撮影する状況を示している。枠１１０５の囲みは、撮影された画像が表示される状況を示している。
【０１０６】
００３．ｊｐｇは、枠１１０１で囲まれた状況で携帯端末装置１０１ａによって撮影された画像ファイルである。００７．ｊｐｇは、枠１１０３で囲まれた状況で携帯端末装置１０１ａによって撮影された画像ファイルである。画像ファイル００３．ｊｐｇと画像ファイル００７．ｊｐｇとは、携帯端末装置１０１ａから携帯端末装置１０１ｅに送られ、携帯端末装置１０１ｅで保持される。そして、画像ファイル００３．ｊｐｇと画像ファイル００７．ｊｐｇとは、枠１１０５で囲まれた状況で表示される。
【０１０７】
各状況について詳しく述べる。枠１１０１で囲まれた状況では、Ａ．Ｓさんの近くにＢ．Ｔさんがいる。このとき、携帯端末装置１０１ａは撮影装置の例である。Ａ．Ｓさんが携帯端末装置１０１ａを用いて、撮影を行おうとするときに、携帯端末装置１０１ａは、近距離無線通信装置のサーチを行う。その結果、携帯端末装置１０１ａは携帯端末装置１０１ｂを検出し、携帯端末装置１０１ｂの使用者であるＢ．Ｔさんのメールアドレスを特定する。このとき、携帯端末装置１０１ｂは撮影装置に近接する装置の例である。
【０１０８】
そして、Ａ．Ｓさんが操作して携帯端末装置１０１ａで撮られた画像ファイル（００３．ｊｐｇ）には、Ｂ．Ｔさんのメールアドレスが付加される。また、Ａ．Ｓさん自身のメールアドレスも付加される。
【０１０９】
つまり、枠１１０１で囲まれた状況で撮影された画像ファイル（００３．ｊｐｇ）に付加されたメールアドレスによって、撮影現場にＡ．ＳさんとＢ．Ｔさんとがいたことがわかるようにする。尚、Ａ．Ｓさん自身が被写体となることもある。また、Ｂ．Ｔさんが被写体となることもある。Ａ．ＳさんとＢ．Ｔさんとがいっしょに被写体となることもある。
【０１１０】
一方、枠１１０３で囲まれた状況では、Ａ．Ｓさんの近くにＢ．Ｔさんの他にＣ．Ｕさんもいる。このとき、携帯端末装置１０１ａは撮影装置の例である。Ａ．Ｓさんが携帯端末装置１０１ａを用いて、撮影を行おうとするときに、携帯端末装置１０１ａは、枠１１０１で囲まれた状況と同様に、近距離無線通信装置のサーチを行う。その結果、携帯端末装置１０１ａは携帯端末装置１０１ｂと携帯端末装置１０１ｃとを検出し、携帯端末装置１０１ｂの使用者であるＢ．Ｔさんのメールアドレスと携帯端末装置１０１ｃの使用者であるＣ．Ｕさんのメールアドレスとを特定する。このとき、携帯端末装置１０１ｂと携帯端末装置１０１ｃとは撮影装置に近接する装置の例である。
【０１１１】
そして、Ａ．Ｓさんが操作して携帯端末装置１０１ａで撮られた画像ファイル（００７．ｊｐｇ）には、Ｂ．ＴさんのメールアドレスとＣ．Ｕさんのメールアドレスとが付加される。また、Ａ．Ｓさん自身のメールアドレスも付加される。
【０１１２】
つまり、枠１１０３で囲まれた状況で撮影された画像ファイル（００７．ｊｐｇ）に付加されたメールアドレスによって、撮影現場にＡ．ＳさんとＢ．ＴさんとＣ．Ｕさんとがいたことがわかるようにする。尚、Ａ．Ｓさん自身が被写体となることもある。また、Ｂ．Ｔさんが被写体となることもある。更に、Ｃ．Ｕさんが被写体となることもある。あるいは、Ａ．ＳさんとＢ．ＴさんとＣ．Ｕさんとがいっしょに被写体となることもある。
【０１１３】
そして、携帯端末装置１０１ａに格納されている画像ファイル（００３．ｊｐｇと００７．ｊｐｇとを含む。）が携帯端末装置１０１ｅに送られる。その結果、携帯端末装置１０１ｅは、携帯端末装置１０１ａに格納されている画像ファイル（００３．ｊｐｇと００７．ｊｐｇとを含む。）を格納している状態となる。
【０１１４】
枠１１０５の囲みは、別の機会にＢ．ＴさんとＤ．Ｖさんとが、携帯端末装置１０１ｅに保持されている画像を見ようとする状況を示している。携帯端末装置１０１ｅは、表示装置の例である。また、Ｂ．ＴさんとＤ．Ｖさんとは見者の例である。
【０１１５】
Ｂ．ＴさんあるいはＤ．Ｖさんが携帯端末装置１０１ｅに格納されている画像を表示させようとするときに、携帯端末装置１０１ｅは、近距離無線通信装置のサーチを行う。その結果、携帯端末装置１０１ｅは携帯端末装置１０１ｂと携帯端末装置１０１ｄとを検出し、携帯端末装置１０１ｂの使用者であるＢ．Ｔさんのメールアドレスと携帯端末装置１０１ｄの使用者であるＤ．Ｖさんのメールアドレスとを特定する。
【０１１６】
そして、携帯端末装置１０１ｅは、画像ファイルの付加データに、Ｂ．ＴさんのメールアドレスとＤ．Ｖさんのメールアドレスとのうち少なくとも一方が含まれている画像を抽出し、表示させる。枠１１０１で囲まれた状況で撮影された画像ファイル（００３．ｊｐｇ）には、Ｂ．Ｔさんのメールアドレスが付加されているので、この画像は抽出され、表示される。枠１１０３で囲まれた状況で撮影された画像ファイル（００７．ｊｐｇ）にも、Ｂ．Ｔさんのメールアドレスが付加されているので、この画像は抽出され、表示される。つまり、見者であるＤ．Ｖさんが撮影現場にいなくとも、もう一方の見者であるＢ．Ｔさんが撮影現場にいた画像が抽出され、表示される。
【０１１７】
図１２に、実施の形態２において表示システムが用いられる別の様子を示す。図１１の場合と同様に、Ａ．Ｓさんは、携帯端末装置１０１ａを保持している。同じくＢ．Ｔさんは、携帯端末装置１０１ｂを保持している。同じくＣ．Ｕさんは、携帯端末装置１０１ｃを保持している。同じくＤ．Ｖさんは、携帯端末装置１０１ｄを保持している。携帯端末装置１０１ａは、カメラと近距離無線通信部とを備えている。携帯端末装置１０１ｂと携帯端末装置１０１ｃと携帯端末装置１０１ｄとは、近距離無線通信部を備えている。
【０１１８】
図１１と同様に、携帯端末装置１０１ｅは、画像表示用に共用されるものと想定する。携帯端末装置１０１ｅは、近距離無線通信部と表示部とを備えている。
【０１１９】
枠１２０１の囲みは、画像を撮影する状況を示している。枠１２０３の囲みは、撮影された画像を表示しようとする状況を示している。
【０１２０】
００５．ｊｐｇは、枠１２０１で囲まれた状況で携帯端末装置１０１ａによって撮影された画像ファイルである。画像ファイル００５．ｊｐｇは、携帯端末装置１０１ａから携帯端末装置１０１ｅに送られ、携帯端末装置１０１ｅで保持される。しかし、画像ファイル００５．ｊｐｇは、枠１２０３で囲まれた状況で表示されない。
【０１２１】
各状況について詳しく述べる。枠１２０１で囲まれた状況では、Ａ．Ｓさんの近くにＣ．Ｕさんがいる。また、このとき、携帯端末装置１０１ａは撮影装置の例である。Ａ．Ｓさんが携帯端末装置１０１ａを用いて、撮影を行おうとするときに、携帯端末装置１０１ａは、近距離無線通信装置のサーチを行う。その結果、携帯端末装置１０１ａは携帯端末装置１０１ｃを検出し、携帯端末装置１０１ｃの使用者であるＣ．Ｕさんのメールアドレスを特定する。このとき、携帯端末装置１０１ｃは撮影装置に近接する装置の例である。
【０１２２】
そして、Ａ．Ｓさんが操作して携帯端末装置１０１ａで撮られた画像ファイル（００５．ｊｐｇ）には、Ｃ．Ｕさんのメールアドレスが付加される。また、Ａ．Ｓさん自身のメールアドレスも付加される。
【０１２３】
つまり、枠１２０１で囲まれた状況で撮影された画像ファイル（００５．ｊｐｇ）に付加されたメールアドレスによって、撮影現場にＡ．ＳさんとＣ．Ｕさんとがいたことがわかるようにする。尚、Ａ．Ｓさん自身が被写体となることもある。また、Ｃ．Ｕさんが被写体となることもある。あるいは、Ａ．ＳさんとＣ．Ｕさんとがいっしょに被写体となることもある。
【０１２４】
そして、携帯端末装置１０１ａに格納されている画像ファイル（００５．ｊｐｇを含む。）が携帯端末装置１０１ｅに送られる。その結果、携帯端末装置１０１ｅは、携帯端末装置１０１ａに格納されている画像ファイル（００５．ｊｐｇを含む。）を格納している状態となる。
【０１２５】
枠１２０３の囲みは、別の機会にＢ．ＴさんとＤ．Ｖさんとが、携帯端末装置１０１ｅに保持されている画像を見ようとする状況を示している。携帯端末装置１０１ｅは、表示装置の例である。また、Ｂ．ＴさんとＤ．Ｖさんとは見者の例である。
【０１２６】
Ｂ．ＴさんあるいはＤ．Ｖさんが携帯端末装置１０１ｅに格納されている画像を表示させようとするときに、携帯端末装置１０１ｅは、近距離無線通信装置のサーチを行う。その結果、携帯端末装置１０１ｅは携帯端末装置１０１ｂと携帯端末装置１０１ｄとを検出し、携帯端末装置１０１ｂの使用者であるＢ．Ｔさんのメールアドレスと携帯端末装置１０１ｄの使用者であるＤ．Ｖさんのメールアドレスとを特定する。
【０１２７】
そして、携帯端末装置１０１ｅは、画像ファイルの付加データに、Ｂ．ＴさんのメールアドレスとＤ．Ｖさんのメールアドレスとのうち少なくとも一方が含まれている画像を抽出しようとする。しかし、枠１２０１で囲まれた状況で撮影された画像ファイル（００５．ｊｐｇ）には、Ｂ．Ｔさんのメールアドレスも、Ｄ．Ｖさんのメールアドレスも付加されていないので、この画像は抽出されず、表示もされない。つまり、見者であるＢ．ＴさんとＤ．Ｖさんのいずれも撮影現場にいなかった画像は抽出されない。
【０１２８】
図１１と図１２とで囲まれた状況を具体的な利用態様で説明する。例えば、Ａ．Ｓさんは、新聞社の取材アシスタントとする。Ｂ．ＴさんとＣ．Ｕさんとは、同じ新聞社の記者であるとする。Ｄ．Ｖさんは、同じ新聞社の編集長であるとする。
【０１２９】
図１１に示した枠１１０１の囲みは、Ａ．ＳさんがＢ．Ｔさんの取材に同行した状況を示しているものとする。Ａ．Ｓさんは携帯端末装置１０１ａでＢ．Ｔさんの取材対象Ｘを撮影し、００３．ｊｐｇは、そのとき撮影された画像ファイルであるとする。
【０１３０】
また、図１１に示した枠１１０３の囲みは、Ａ．ＳさんがＢ．ＴさんとＣ．Ｕさんとの共同取材に同行した状況を示しているものとする。Ａ．Ｓさんは携帯端末装置１０１ａでＢ．ＴさんとＣ．Ｕさんとの共同による取材対象Ｙを撮影し、００７．ｊｐｇは、そのとき撮影された画像ファイルであるとする。
【０１３１】
Ａ．Ｓさんが撮影した画像は、いずれも携帯端末装置１０１ａから携帯端末装置１０１ｅに送られ、携帯端末装置１０１ｅに格納されるものとする。
【０１３２】
図１１に示した枠１１０５の囲みは、取材後にＢ．ＴさんがＤ．Ｖさんに取材内容を報告する状況を示しているものとする。枠１１０１の状況で撮影された画像ファイル００３．ｊｐｇと枠１１０３の状況で撮影された画像ファイル００７．ｊｐｇとを抽出し、表示させることによって、取材対象Ｘについての報告と、取材対象Ｙについての報告と行う。これらの報告に、アシスタントであるＡ．Ｓさんは同席しなくてもよい。また、Ｂ．ＴさんとＣ．Ｕさんとが共同で扱った取材対象Ｙについては、Ｂ．ＴさんとＣ．Ｕさんとのうちいずれか一方が報告すれば足りる。従って、Ｂ．Ｔさんによる報告の際に、Ｃ．Ｕさんは同席しなくてもよい。
【０１３３】
図１２に示した枠１２０１は、Ａ．ＳさんがＣ．Ｕさんの取材に同行した状況を示しているものとする。Ａ．Ｓさんは携帯端末装置１０１ａでＣ．Ｕさんの取材対象Ｚを撮影し、００５．ｊｐｇは、そのとき撮影された画像ファイルであるとする。
【０１３４】
このときＡ．Ｓさんが撮影した画像も、携帯端末装置１０１ａから携帯端末装置１０１ｅに送られ、携帯端末装置１０１ｅに格納されるものとする。
【０１３５】
図１２に示した枠１２０３の囲みは、図１１に示した枠１１０５と同様に、Ｂ．ＴさんがＤ．Ｖさんに取材内容を報告する状況を示しているものとする。このとき、枠１２０１の状況で撮影された画像ファイル００５．ｊｐｇは抽出されず、表示もされない。
【０１３６】
仮に、枠１２０３の状況において画像ファイル００５．ｊｐｇを表示させると、他の記者が取材している内容を先に明らかにしてしまうことになる。このような行為は、信義に反するかもしれない。また、本来報告の対象でないものを表示させることは無駄である。
【０１３７】
このように、複数の見者のうち一部の者に関連する画像を抽出して表示させるようにすれば、いずれの見者にも関わらない情報開示を防げる。また、無駄な表示を行うことも防げる。ここでは、ビジネスにおける利用態様の例を示したが、家族との日常生活や友人との付き合いなどで撮影された画像を表示させるようなプライベートな利用態様においても類似する事態が起こりうる。尚、画像は静止画に限られず、動画でも同様である。
【０１３８】
本実施の形態における撮影時の処理は、実施の形態１における撮影時の処理と同様である。
【０１３９】
以下、実施の形態２に係る表示時の処理について説明する。図１３に、実施の形態２に係る表示時の処理フローを示す。撮影モードに切り替わると、検出部６０３は、検出処理を実行する（Ｓ９０１）。表示時における検出処理（Ｓ９０１）は、図８Ａと図８Ｂに示した検出処理と同様である。
【０１４０】
実施の形態１では、検出部６０３は、近接者テーブル記憶部６０５に当該表示装置の使用者のメールアドレスを書いたが（図９のＳ９０３）、本実施の形態ではこの処理を行わない。例えば図１１と図１２とに示した携帯端末装置１０１ｅのように共用される表示装置の場合には、特定の者が常に見者に含まれているとは限らないからである。
【０１４１】
抽出部６１３は、画像抽出処理を実行する処理する（Ｓ９０５）。本実施の形態では、画像抽出処理Ｂを実行する例を説明するが、上述した画像抽出処理Ａを実行するようにしてもよい。
【０１４２】
図１４に、画像抽出処理Ｂフローを示す。Ｓ１００１とＳ１００３との処理については、実施の形態１で説明した図１０の場合と同様である。
【０１４３】
抽出部６１３は、近接者テーブル記憶部６０５に記憶されているメールアドレスのうちいずれかが、付加データに含まれているか否かを判定する（Ｓ１４０１）。近接者テーブル記憶部６０５に記憶されているメールアドレスのうちいずれかが、付加データに含まれていると判定した場合には、抽出部６１３は、当該画像ファイルを表示対象に設定する（Ｓ１００７）。
【０１４４】
一方、近接者テーブル記憶部６０５に記憶されているメールアドレスのうちいずれも、付加データに含まれていないと判定した場合には、当該画像ファイルを表示対象に設定しない。設定の方法は、画像抽出処理Ａ（図１０）の場合と同様である。
【０１４５】
そして、抽出部６１３は、画像ファイル格納部６０９に格納されている画像ファイルのうち、未処理の画像ファイルが残っているか否か判定する（Ｓ１００９）。Ｓ１００９の処理については、画像抽出処理Ａ（図１０）の場合と同様である。
【０１４６】
例えば、図１１の枠１１０５で囲まれた状況及び図１２の枠１２０３で囲まれた状況において、携帯端末装置１０１ｂ（表示装置に近接する装置の例）の使用者Ｂ．Ｔさんのメールアドレス「ｂｂｂ＠ｊｐ．ｃｏｍ」が付加データに含まれ、あるいは携帯端末装置１０１ｄ（表示装置に近接する装置の例）の使用者Ｄ．Ｖさんのメールアドレス「ｄｄｄ＠ｊｐ．ｃｏｍ」が付加データに含まれている画像ファイルが表示対象として抽出される。具体的には、図５に示した画像ファイルのうち、付加データに「ｂｂｂ＠ｊｐ．ｃｏｍ」を含む画像ファイル００３．ｊｐｇと画像ファイル００４．ｊｐｇが抽出される。更に、付加データに「ｂｂｂ＠ｊｐ．ｃｏｍ」を含む画像ファイル００７．ｊｐｇと画像ファイル００８．ｊｐｇが抽出される。一方、付加データに「ｂｂｂ＠ｊｐ．ｃｏｍ」も「ｄｄｄ＠ｊｐ．ｃｏｍ」も含まない画像ファイル００１．ｊｐｇ、画像ファイル００２．ｊｐｇ、画像ファイル００５．ｊｐｇ及び画像ファイル００６．ｊｐｇは、抽出されない。
【０１４７】
図１４のＳ１００９で、画像ファイル格納部６０９に格納されている画像ファイルのうち、未処理の画像ファイルが残っていると判定した場合には、Ｓ１００１の処理に戻って、上述の処理を繰り返す。
【０１４８】
画像ファイル格納部６０９に格納されている画像ファイルのうち、未処理の画像ファイルが残っていないと判定した場合には、図１３に示すＳ９０７の処理に戻る。
【０１４９】
図１３の説明に戻って、表示部６１５が表示対象の画像ファイルを表示する処理（Ｓ９０７）は、図９を用いて説明した実施の形態１の場合と同様である。
【０１５０】
尚、図９に示した表示時の処理フローのＳ９０５で、画像抽出処理Ｂを実行するようにすれば、表示装置の使用者が撮影に関わった場合の画像も抽出され、表示されるようになる。以上で、実施の形態２に係る表示時の処理についての説明を終える。
【０１５１】
画像抽出処理Ｂによれば、表示装置の使用者である見者と、表示装置に近接する装置の使用者である見者との少なくとも一方が、自ら撮影に関わった画像を選ばせて表示させることができる。つまり、いずれかの見者が関係すると想定される画像が抽出されるので、他方の見者に見せたい画像が効率よく表示されるようになる。また、いずれの見者にも関係しないと想定される画像は表示されないので、いずれの見者にとっても無用な表示は抑制される。
【０１５２】
［実施の形態３］
本実施の形態では、表示時に当該表示装置の装置種別に基づいて、当該装置の使用者を見者に含めるか否かを決定する例について説明する。
【０１５３】
図１５に、実施の形態３に係る表示時の処理フローを示す。撮影モードに切り替わると、検出部６０３は、検出処理を実行する（Ｓ９０１）。このときの検出処理（Ｓ９０１）は、図８Ａと図８Ｂに示した検出処理と同様である。
【０１５４】
そして、検出部６０３は、当該表示装置はタブレット端末であるか否かを判定する（Ｓ１５０１）。当該表示装置はタブレット端末であると判定した場合には、検出部６０３は、近接者テーブル記憶部６０５に当該表示装置の使用者のメールアドレスを書かない。この例では、タブレット端末は共用されることを想定している。
【０１５５】
一方、当該表示装置はタブレット端末でないと判定した場合には、検出部６０３は、近接者テーブル記憶部６０５に当該表示装置の使用者のメールアドレスを書く（Ｓ９０３）。例えばタブレット端末でない場合には、スマートフォンのように個人専用の装置であると想定している。Ｓ９０５とＳ９０７との処理については、上述した実施の形態と同様である。
【０１５６】
本実施の形態によれば、表示装置の装置種別に応じて、表示装置の使用者を見者に含めるか否かを自動的に設定できるようになる。
【０１５７】
［実施の形態４］
上述した実施の形態では、表示装置の内部に画像ファイルを格納させる例を示したが、表示装置の外部に画像ファイルを格納させるようにしてもよい。本実施の形態では、携帯端末装置１０１の外部に画像ファイルを格納させる例について説明する。
【０１５８】
図１６に、実施の形態４に係る携帯端末装置１０１のモジュール構成例を示す。画像ファイル格納部６０９を除き、近距離無線通信部３２７、無線ＬＡＮ通信部３２９、ＩＣカード通信部３３１、識別データ格納部６０１、検出部６０３、近接者テーブル記憶部６０５、撮影部６０７、関連部６１１、抽出部６１３及び表示部６１５については、図６に示したモジュール構成例と同様である。
【０１５９】
本実施の形態では、画像ファイル格納部６０９に画像ファイルを書く処理の代わりに、ネットワーク通信部１６０１によって外部の装置（例えば、Ｗｅｂサーバ）に、画像を送信する。また、本実施の形態では、画像ファイル格納部６０９から画像を読む処理の代わりに、ネットワーク通信部１６０１によって外部の装置に画像を要求し、ネットワーク通信部１６０１によってその画像を外部の装置から受信する。
【０１６０】
図７に示したＳ７０５の処理において、撮影部６０７は画像ファイルを一時的な記憶領域に記憶させ、同じくＳ７０７の処理でその画像ファイルの付加データにメールアドレスを書き、ネットワーク通信部１６０１によって外部の装置（例えば、Ｗｅｂサーバ）に、画像を送信する。
【０１６１】
また、図１０に示したＳ１００１の処理において、ネットワーク通信部１６０１によって外部の装置に画像を要求し、ネットワーク通信部１６０１によってその画像を外部の装置から受信する。
【０１６２】
また、表示装置が外部の装置へ近接者テーブルを送信し、外部の装置側で抽出部による画像抽出処理を行い、抽出された画像を表示装置に送信するようにしてもよい。そして、表示装置は、受信した画像を表示するようにしてもよい。
【０１６３】
本実施の形態によれば、表示装置の記憶容量に関わらず、多くの画像ファイルの中から見者に関連する画像ファイルを抽出し、表示させることができるようになる。
【０１６４】
上述の実施の形態では、使用者を特定するデータとして、メールアドレスを用いる例を示したが、他のデータによって使用者を特定するようにしてもよい。例えば、使用者の氏名を用いるようにしてもよい。あるいは、その者が専ら使用している装置を識別するデータを用いるようにしてもよい。
【０１６５】
上述の実施の形態では、抽出された画像ファイルを表示させる例を示したが、抽出された画像ファイルを他の形態で出力するようにしてもよい。例えば、画像ファイルを送信しようとする場合に、上述の処理によって画像ファイルを抽出し、抽出した画像ファイルを送信するようにしてもよい。また、画像を印刷しようとする場合に、上述の処理によって画像ファイルを抽出し、抽出した画像を印刷するようにしてもよい。
【０１６６】
以上本発明の実施の形態を説明したが、本発明はこれに限定されるものではない。例えば、上述の機能ブロック構成は実際のプログラムモジュール構成に一致しない場合もある。
【０１６７】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【０１６８】
以上述べた実施の形態をまとめると、以下のようになる。
【０１６９】
一態様の表示装置は、（Ａ）撮影装置の使用者を特定する第１データと撮影装置に近接する装置の使用者を特定する第２データとのうち少なくとも一方と各々関連付けられた画像群の中から、本表示装置の使用者を特定する第３データと本表示装置に近接する装置の使用者を特定する第４データとのうち少なくともいずれかに基づいて画像を抽出する抽出部と、（Ｂ）抽出された画像を表示する表示部とを有する。
【０１７０】
このようにすれば、見者が自ら撮影に関わった画像を選ばせて表示させることができる。つまり、見者が関係すると想定される画像が抽出されるので、見者にとって有用な画像が効率よく表示されるようになる。また、見者に関係しないと想定される画像は抽出されないので、見者にとって無用な画像の表示は抑制される。
【０１７１】
また、上記抽出部は、第３データにより特定される使用者と一致する使用者を特定する第１データ又は第２データに関連付けられ、且つ第４データにより特定される使用者と一致する使用者を特定する第１データ又は第２データに関連付けられている画像を抽出するようにしてもよい。
【０１７２】
このようにすれば、表示装置の使用者である見者と、表示装置に近接する装置の使用者である見者との両方が、自ら撮影に関わった画像を選ばせて表示させることができる。つまり、両見者が関係すると想定される画像が抽出されるので、両見者にとって有用な画像が効率よく表示されるようになる。また、少なくともいずれかの見者に関係しないと想定される画像は抽出されないので、いずれかの見者にとって無用な画像の表示は抑制される。
【０１７３】
また、上記抽出部は、第３データにより特定される使用者と一致する使用者を特定する第１データ又は第２データに関連付けられ、あるいは第４データにより特定される使用者と一致する使用者を特定する第１データ又は第２データに関連付けられている画像を抽出するようにしてもよい。
【０１７４】
このようにすれば、表示装置の使用者である見者と、表示装置に近接する装置の使用者である見者との少なくとも一方が、自ら撮影に関わった画像を選ばせて表示させることができる。つまり、いずれかの見者が関係すると想定される画像が抽出されるので、他方の見者に見せたい画像が効率よく表示されるようになる。また、いずれの見者にも関係しないと想定される画像は表示されないので、いずれの見者にとっても無用な表示は抑制される。
【０１７５】
なお、上で述べた表示装置あるいは撮影装置における処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【０１７６】
以上の実施例を含む実施形態に関し、さらに以下の付記を開示する。
【０１７７】
（付記１）
撮影装置の使用者を特定する第１データと前記撮影装置に近接する装置の使用者を特定する第２データとのうち少なくとも一方と各々関連付けられた画像群の中から、本表示装置の使用者を特定する第３データと前記本表示装置に近接する装置の使用者を特定する第４データとのうち少なくともいずれかに基づいて画像を抽出する抽出部と、
抽出された前記画像を表示する表示部と
を有する表示装置。
【０１７８】
（付記２）
前記抽出部は、前記第３データにより特定される前記使用者と一致する使用者を特定する第１データ又は第２データに関連付けられ、且つ前記第４データにより特定される前記使用者と一致する使用者を特定する第１データ又は第２データに関連付けられている画像を抽出する
付記１記載の表示装置。
【０１７９】
（付記３）
前記抽出部は、前記第３データにより特定される前記使用者と一致する使用者を特定する第１データ又は第２データに関連付けられ、あるいは前記第４データにより特定される前記使用者と一致する使用者を特定する第１データ又は第２データに関連付けられている画像を抽出する
付記１記載の表示装置。
【０１８０】
（付記４）
撮影装置と表示装置とを有する表示システムであって、
前記撮影装置は、
画像を撮影する撮影部と、
前記撮影装置の使用者を特定する第１データと前記撮影装置に近接する装置の使用者を特定する第２データとのうち少なくとも一方を、撮影された前記画像に関連付ける関連部と
を有し、
前記表示装置は、
前記撮影装置で撮影された画像群の中から、前記表示装置の使用者を特定する第３データと前記表示装置に近接する装置の使用者を特定する第４データとのうち少なくともいずれかに基づいて画像を抽出する抽出部と、
抽出された前記画像を表示する表示部と
を有する表示システム。
【０１８１】
（付記５）
撮影装置の使用者を特定する第１データと前記撮影装置に近接する装置の使用者を特定する第２データとのうち少なくとも一方と各々関連付けられた画像群の中から、コンピュータの使用者を特定する第３データと前記コンピュータに近接する装置の使用者を特定する第４データとのうち少なくともいずれかに基づいて画像を抽出する処理と、
抽出された前記画像を表示する処理と
を前記コンピュータに実行させるための表示制御プログラム。
【符号の説明】
【０１８２】
１０１  携帯端末装置    ３０１  プロセッサ
３０３  記憶部    ３０５  ＲＯＭ
３０７  ＲＡＭ    ３０９  フラッシュメモリ
３１１  アンテナ    ３１３  無線制御部
３１５  オーディオ制御部    ３１７  スピーカ
３１９  マイク    ３２１  ディスプレイ
３２３  タッチパッド    ３２５  カメラ
３２７  近距離無線通信部    ３２９  無線ＬＡＮ通信部
３３１  ＩＣカード通信部    ６０１  識別データ格納部
６０３  検出部    ６０５  近接者テーブル記憶部
６０７  撮影部    ６０９  画像ファイル格納部
６１１  関連部    ６１３  抽出部
６１５  表示部    １６０１  ネットワーク通信部
【図１】
2015060478.tif 000003
【図２】
2015060478.tif 000004
【図３】
2015060478.tif 000005
【図４】
2015060478.tif 000006
【図５】
2015060478.tif 000007
【図６】
2015060478.tif 000008
【図７】
2015060478.tif 000009
【図８Ａ】
2015060478.tif 000010
【図８Ｂ】
2015060478.tif 000011
【図９】
2015060478.tif 000012
【図１０】
2015060478.tif 000013
【図１１】
2015060478.tif 000014
【図１２】
2015060478.tif 000015
【図１３】
2015060478.tif 000016
【図１４】
2015060478.tif 000017
【図１５】
2015060478.tif 000018
【図１６】
2015060478.tif 000019